(57)【要約】【課題】充填された飲料を飲みやすくすることが可能な、カップ状容器、蓋付きカップ状容器及びプリフォームを提供する。【解決手段】カップ状容器１０は、飲み口部１５と、胴部２０と、底部２５とを備えている。飲み口部１５と胴部２０との間に、飲み口部１５及び胴部２０よりも細い縮径部３０が形成されている。縮径部３０の上面３１に、蓋材４５を貼付するための段部３５が形成されている。【選択図】図１
2020164177.tif 000002
【特許請求の範囲】
【請求項１】
飲み口部と、胴部と、底部とを備え、
前記飲み口部と前記胴部との間に、前記飲み口部及び前記胴部よりも細い縮径部が形成され、
前記縮径部の上面に、蓋材を貼付するための段部が形成されている、カップ状容器。
【請求項２】
前記縮径部は、円筒状の側面を有する、請求項１に記載のカップ状容器。
【請求項３】
前記縮径部は、下面を有し、前記下面は、前記飲み口部から前記胴部に向かうにつれて径方向外側に向かって傾斜する、請求項１又は２に記載のカップ状容器。
【請求項４】
前記飲み口部は、フランジ部を有し、前記フランジ部の幅は、０．５ｍｍ以上２．０ｍｍ以下である、請求項１乃至３のいずれか一項に記載のカップ状容器。
【請求項５】
請求項１乃至４のいずれか一項に記載のカップ状容器と、
前記カップ状容器の前記段部に貼付された蓋材とを備えた、蓋付きカップ状容器。
【請求項６】
前記カップ状容器に取り付けられたオーバーキャップを更に備えた、請求項５に記載の蓋付きカップ状容器。
【請求項７】
飲み口部と、胴部と、底部とを備えたカップ状容器を作製するためのプリフォームであって、
前記飲み口部に対応するプリフォーム飲み口部と、前記胴部に対応するプリフォーム胴部と、前記底部に対応するプリフォーム底部とを備え、
前記プリフォーム飲み口部と前記プリフォーム胴部との間に、蓋材を貼付するためのプリフォーム段部が形成されている、プリフォーム。
【請求項８】
前記プリフォーム飲み口部と前記プリフォーム胴部との間に、前記プリフォーム飲み口部よりも細いプリフォーム縮径部が形成され、
前記プリフォーム段部は、前記プリフォーム縮径部の上面に形成されている、請求項７に記載のプリフォーム。
【発明の詳細な説明】
【技術分野】
【０００１】
本開示は、カップ状容器、蓋付きカップ状容器及びプリフォームに関する。
【背景技術】
【０００２】
近年、海洋汚染の問題等から、プラスチック製品に対して厳しい目が向けられており、飲料メーカーや飲食店等で、飲料カップ用のストローを削減したり材質を変更したりすることが進められている。
【０００３】
ストローを用いないで飲料が飲める飲料カップとして、フランジ部に蓋材をヒートシールすることにより密閉したものが知られている（例えば特許文献１参照）。この場合、使用者は、まず蓋材を剥がし、フランジ部に口を付けてカップ内部の飲料を飲むことができる。
【先行技術文献】
【特許文献】
【０００４】
【特許文献１】特開２００６−３２７６５０号公報
【発明の概要】
【発明が解決しようとする課題】
【０００５】
しかしながら、従来の飲料カップは、蓋材がフランジ部にヒートシールされているので、フランジ部の幅が広くなっていることが一般的である。このため、蓋材を剥がしてフランジ部から飲料を飲もうとすると、飲料が口の横からこぼれるおそれがある。また、蓋材が剥がされた後のフランジ部は粗いため、口当たりが悪く、飲料を飲みにくいという課題がある。
【０００６】
本開示は、充填された飲料を飲みやすくすることが可能な、カップ状容器、蓋付きカップ状容器及びプリフォームを提供する。 
【課題を解決するための手段】
【０００７】
本実施の形態によるカップ状容器は、飲み口部と、胴部と、底部とを備え、前記飲み口部と前記胴部との間に、前記飲み口部及び前記胴部よりも細い縮径部が形成され、前記縮径部の上面に、蓋材を貼付するための段部が形成されている。
【０００８】
本実施の形態によるカップ状容器において、前記縮径部は、円筒状の側面を有していてもよい。
【０００９】
本実施の形態によるカップ状容器において、前記縮径部は、下面を有し、前記下面は、前記飲み口部から前記胴部に向かうにつれて径方向外側に向かって傾斜してもよい。
【００１０】
本実施の形態によるカップ状容器において、前記飲み口部は、フランジ部を有し、前記フランジ部の幅は、０．５ｍｍ以上２．０ｍｍ以下であってもよい。
【００１１】
本実施の形態による蓋付きカップ状容器は、本実施の形態によるカップ状容器と、前記カップ状容器の前記段部に貼付された蓋材とを備えている。
【００１２】
本実施の形態による蓋付きカップ状容器において、前記カップ状容器に取り付けられたオーバーキャップを更に備えてもよい。
【００１３】
本実施の形態によるプリフォームは、飲み口部と、胴部と、底部とを備えたカップ状容器を作製するためのプリフォームであって、前記飲み口部に対応するプリフォーム飲み口部と、前記胴部に対応するプリフォーム胴部と、前記底部に対応するプリフォーム底部とを備え、前記プリフォーム飲み口部と前記プリフォーム胴部との間に、蓋材を貼付するためのプリフォーム段部が形成されている。
【００１４】
本実施の形態によるプリフォームにおいて、前記プリフォーム飲み口部と前記プリフォーム胴部との間に、前記プリフォーム飲み口部よりも細いプリフォーム縮径部が形成され、前記プリフォーム段部は、前記プリフォーム縮径部の上面に形成されていてもよい。
【発明の効果】
【００１５】
本実施の形態によれば、カップ状容器に充填された飲料を飲みやすくすることができる。
【図面の簡単な説明】
【００１６】
【図１】図１は、本実施の形態によるカップ状容器を示す斜視図。
【図２】図２は、本実施の形態によるカップ状容器を示す垂直断面斜視図。
【図３】図３は、本実施の形態によるカップ状容器を示す垂直断面図（図１のIII−III線断面図）。
【図４】図４は、本実施の形態による蓋付きカップ状容器を示す垂直断面図。
【図５】図５は、オーバーキャップが取り付けられた蓋付きカップ状容器を示す垂直断面図。
【図６】図６は、本実施の形態によるプリフォームを示す垂直断面斜視図。
【図７】図７は、本実施の形態によるプリフォームを示す垂直断面図。
【図８】図８（ａ）−（ｄ）は、カップ状容器の製造方法を示す断面図。
【図９】図９は、カップ状容器の変形例を示す垂直断面図。
【図１０】図１０は、プリフォームの変形例を示す垂直断面斜視図。
【図１１】図１１は、プリフォームの変形例を示す垂直断面図。
【発明を実施するための形態】
【００１７】
以下、本実施の形態について、図１乃至図８を用いて説明する。図１乃至図８は、一実施の形態を示す図である。なお、本明細書中、「上」及び「下」とは、それぞれカップ状容器１０を正立させた状態（図１乃至図３）における上方及び下方のことをいう。また、「水平面」とは、カップ状容器１０の中心軸に対して垂直な面であって、フランジ部１７が存在する面に対して平行な面をいう。また、「径方向」とは、カップ状容器１０の中心軸に対して垂直な方向をいう。
【００１８】
（カップ状容器）
図１乃至図３に示すように、カップ状容器１０は、飲み口部１５と、飲み口部１５の下方に設けられた胴部２０と、胴部２０の下端に設けられた底部２５とを備えている。このうち飲み口部１５と胴部２０との間には、飲み口部１５及び胴部２０よりも細い縮径部３０が形成されている。縮径部３０の上面３１には、蓋材４５（図４参照）を貼付するための段部３５が形成されている。
【００１９】
次に、図１乃至図３を参照して、カップ状容器１０の構成について更に説明する。
【００２０】
飲み口部１５は、使用者が口を付けて飲料を飲む際に用いられる。飲み口部１５は、筒状の第１側面１６と、第１側面１６の上端に設けられたフランジ部１７とを有している。
【００２１】
飲み口部１５には、使用者が飲料を飲むための平面視円形状の開口１８が形成されている。飲み口部１５全体の幅（径方向距離）Ｗ１（図３参照）は、５０ｍｍ以上１００ｍｍ以下、飲み口部１５全体の高さ（上下方向距離）Ｈ１は、４ｍｍ以上１８ｍｍ以下とすることが好ましい（図３参照）。
【００２２】
第１側面１６は、水平断面が円形状であり、上方から下方に向けてその径が徐々に狭くなっている。このように、飲み口部１５が第１側面１６を有することにより、飲料を飲む際に、第１側面１６内に飲料が一時的に貯留されるので、飲料を飲みやすくすることができる。なお、これに限らず、第１側面１６は、円筒状であっても良い。また、第１側面１６の水平断面は、楕円形状、または四角形形状等の多角形形状であっても良い。
【００２３】
フランジ部１７は、カップ状容器１０の天面を構成する部分であり、飲料を飲む際に直接口を付ける部分である。このフランジ部１７は、平面視円環形状であり、第１側面１６から水平方向に向けて突出している。フランジ部１７の幅（径方向距離）Ｗ２は、０．５ｍｍ以上２．０ｍｍ以下とすることが好ましく、フランジ部１７の高さ（上下方向距離）Ｈ２は、０．５ｍｍ以上２．０ｍｍ以下とすることが好ましい（図３参照）。フランジ部１７の幅Ｗ２及び高さＨ２を上記範囲とすることにより、飲み口部１５の口当たりや飲み心地を良好にすることかできる。とりわけ本実施の形態において、フランジ部１７に蓋材４５が貼付されることがないので、フランジ部１７の幅Ｗ２を広くする必要がなく、飲料を飲む際に、飲料が口の横からこぼれ落ちることを抑制することができる。
【００２４】
縮径部３０は、上面３１と、上面３１から下方に延びる円筒状の第２側面３２と、第２側面３２の下端に設けられた下面３３とを有している。
【００２５】
上面３１は、平面視円環形状であり、第１側面１６の下端から径方向内側に向けて形成されている。上面３１は、カップ状容器１０の中心軸に対して垂直に位置する平坦面からなる。また、上面３１は、上述したように、蓋材４５を貼付するための貼付領域となる段部３５を形成する。段部３５の幅（径方向距離）Ｗ３は、３ｍｍ以上８ｍｍ以下とすることが好ましい（図３参照）。段部３５の幅Ｗ３を上記範囲とすることにより、段部３５に蓋材４５を貼付しやすくすることができる。
【００２６】
第２側面３２は、円筒形状であり、その上端が上面３１に連結され、下端が下面３３に連結されている。また第２側面３２は、垂直断面において、上面３１に対して垂直に配置されている。第２側面３２の高さ（上下方向距離）Ｈ３は、５ｍｍ以上２０ｍｍ以下とすることが好ましく、第２側面３２の内径（水平方向距離）Ｄ１は、２０ｍｍ以上８０ｍｍ以下とすることが好ましい（図３参照）。縮径部３０が円筒状の第２側面３２を有することにより、飲料を飲む際に、飲料が一時的に縮径部３０の下面３３側に留められ、大量の飲料が一度に飲み口部１５まで運ばれないようにすることができる。これにより、飲料を飲む量をコントロールしやすくすることができる。
【００２７】
下面３３は、平面視円環形状であり、第２側面３２の下端から径方向外側に向けて形成されている。下面３３は、飲み口部１５（上方）から胴部２０（下方）に向かうにつれて径方向外側に向かって傾斜する傾斜面からなる。この下面３３と水平面とがなす角は、０°超６０°以下としても良い。下面３３が傾斜面からなることにより、カップ状容器１０の飲料が下面３３と胴部２０との間のコーナー部に溜まりにくく、飲料をスムーズに飲むことができる。なお、これに限らず、下面３３は水平面に対して平行な平坦面からなっても良い。
【００２８】
胴部２０は、縮径部３０の下面３３に連結され、下面３３から下方に向けて延びている。この場合、胴部２０は、上方から下方に向けて徐々に縮径する筒形状を有している。また、胴部２０の水平断面は、その上端から下端までの任意の箇所において円形となっている。しかしながら、これに限られるものではなく、胴部２０が楕円筒形状、または四角形筒形状等の多角形筒形状等の筒形状を有していても良い。また、胴部２０は円筒形形状であっても良い。胴部２０の高さ（上下方向距離）Ｈ４は、４０ｍｍ以上２００ｍｍ以下とすることが好ましく、胴部２０の厚みＴ１は、０．１５ｍｍ以上２．０ｍｍ以下とすることが好ましい（図３参照）。
【００２９】
胴部２０は、縮径部３０よりも太い径を有している。これにより、胴部２０の径が縮径部３０の径よりも狭くなる場合と比較して、カップ状容器１０の容量を十分に確保することができる。なお、必ずしも胴部２０の全域が縮径部３０よりも太い径を有していなくても良い。少なくとも胴部２０の上端における径が、縮径部３０の径よりも大きくなっていれば良い。
【００３０】
底部２５は、平面視円形状であり、胴部２０の下端に連結されている。底部２５は、平面視円環形状の接地部２６と、接地部２６の径方向内側に位置する凹部２７とを有している。凹部２７は、接地部２６から上方に向かって凹んでいる。底部２５の幅（外径）Ｗ４は、２０ｍｍ以上１００ｍｍ以下とすることが好ましい（図３参照）。なお、底部２５の平面形状は、楕円形状、または四角形形状等の多角形形状であっても良い。
【００３１】
これら胴部２０、縮径部３０、フランジ部１７、及び底部２５は、射出成形により得られたプリフォーム１０Ａ（後述）を二軸延伸ブロー成形することにより作製される。この胴部２０、縮径部３０、フランジ部１７、及び底部２５は、互いに一体的に形成されている。なお、カップ状容器１０の全高（上下方向距離）Ｈ５は、５０ｍｍ以上２５０ｍｍ以下とすることが好ましい。
【００３２】
カップ状容器１０を形成する材料としては、例えばポリエチレンテレフタレート（ＰＥＴ）やポリプロピレン（ＰＰ）等の合成樹脂を用いることができる。また、カップ状容器１０のリサイクル性を考慮した場合、カップ状容器１０は無色透明であることが好ましい。
【００３３】
（蓋付きカップ状容器）
次に、本実施の形態による蓋付きカップ状容器４０について、図４を参照して説明する。図４に示すように、本実施の形態による蓋付きカップ状容器４０は、上述したカップ状容器１０と、カップ状容器１０の段部３５に貼付された蓋材４５とを備えている。
【００３４】
蓋材４５は、平面視略円形状であり、カップ状容器１０の段部３５に対して全周にわたってシールされている。この蓋材４５は、カップ状容器１０を初期密封するものである。また蓋材４５は、使用者が蓋材４５を剥離しやすくするためのタブ４６を有している。蓋材４５が段部３５に取り付けられることにより、カップ状容器１０の内部が気密に保持されている。また、蓋材４５は、フランジ部１７には取り付けられていないため、蓋材４５を剥がした後に、蓋材４５の一部やシール材がフランジ部１７に残ることがない。このため、フランジ部１７に口を付けてカップ状容器１０の内部の飲料を飲む際に、口当たりが悪くなったり飲みづらくなったりするおそれがない。
【００３５】
蓋材４５の材料は、ポリエチレンテレフタレート、ナイロン、アルミニウム等の積層体とすることができる。例えば、蓋材４５に用いる積層シートの代表的な構成例として、以下のような構成が挙げられる。なお、以下において、「／」は互いに隣接する層同士の境界を意味する。
（１）（外側）ポリエチレンテレフタレート層（ＰＥＴ）／アルミニウム層（ＡＬＭ）／ＰＥＴ用イージーピールシーラント層（内側）
（２）（外側）ナイロン層（ＯＮＹ）／アルミニウム層（ＡＬＭ）／ＰＥＴ用イージーピールシーラント層（内側）
蓋材４５の厚みは、５０μｍ以上２００μｍ以下としても良い。
【００３６】
また、カップ状容器１０の周囲に、図示しないシュリンクフィルム等のフィルムやストレッチラベル等のラベルが貼着されていても良い。このフィルムやラベルには、カップ状容器１０に収容される内容物に関する情報（文字、図柄等）が印刷されていても良い。
【００３７】
さらに、図５に示すように、蓋付きカップ状容器４０において、カップ状容器１０にオーバーキャップ５０が取り付けられていても良い。このオーバーキャップ５０は、カップ状容器１０のフランジ部１７の周縁に着脱可能に取り付けられる。これにより、フランジ部１７がオーバーキャップ５０によって覆われる。オーバーキャップ５０の内周は、フランジ部１７の周縁の形状に対応しており、例えば平面視円形状を有していても良い。このように、カップ状容器１０にオーバーキャップ５０を被せることにより、初期開封前にフランジ部１７を衛生的に保持することができる。オーバーキャップ５０はシート成形又は射出成形のいずれかで成形される。オーバーキャップ５０の材料としては、例えば、ポリエチレン、ポリプロピレン、ポリエチレンテレフタレート、ＡＢＳ樹脂等の合成樹脂を用いることができる。
【００３８】
（プリフォーム）
次に図６及び図７により、上述したカップ状容器１０を製造する際に用いられるプリフォームの構成について説明する。
【００３９】
図６及び図７に示すように、プリフォーム１０Ａは、プリフォーム飲み口部１５Ａと、プリフォーム飲み口部１５Ａの下方に設けられたプリフォーム胴部２０Ａと、プリフォーム胴部２０Ａの下端に設けられたプリフォーム底部２５Ａとを備えている。
【００４０】
このうちプリフォーム飲み口部１５Ａとプリフォーム胴部２０Ａとの間には、プリフォーム飲み口部１５Ａよりも細いプリフォーム縮径部３０Ａが形成されている。プリフォーム縮径部３０Ａの上面には、蓋材４５（図４参照）を貼付するためのプリフォーム段部３５Ａが形成されている。
【００４１】
プリフォーム飲み口部１５Ａ、プリフォーム縮径部３０Ａ及びプリフォーム段部３５Ａは、それぞれ上述したカップ状容器１０の飲み口部１５、縮径部３０及び段部３５に対応するものであり、飲み口部１５、縮径部３０及び段部３５と略同一の形状を有している。ここでは、プリフォーム飲み口部１５Ａ、プリフォーム縮径部３０Ａ及びプリフォーム段部３５Ａの構成についての詳細な説明を省略する。
【００４２】
また、プリフォーム胴部２０Ａ及びプリフォーム底部２５Ａは、それぞれ上述したカップ状容器１０の胴部２０及び底部２５に対応するものである。プリフォーム胴部２０Ａ及びプリフォーム底部２５Ａは、全体として、断面視略円弧形状を有している。
【００４３】
プリフォーム胴部２０Ａ及びプリフォーム底部２５Ａの合計高さ（上下方向距離）Ｈ６は、５ｍｍ以上３０ｍｍ以下とすることが好ましい。また、プリフォーム１０Ａの全高（上下方向距離）Ｈ７は、１０ｍｍ以上６０ｍｍ以下とすることが好ましい。
【００４４】
このプリフォーム１０Ａは、合成樹脂製ペレットを射出成形することにより作製されたものである。このような合成樹脂材料としては、例えばポリエチレンテレフタレート（ＰＥＴ）等を用いることができる。
【００４５】
（カップ状容器及び蓋付きカップ状容器の製造方法）
次に図８（ａ）−（ｄ）により、カップ状容器１０の製造方法について述べる。
【００４６】
まず、図６及び図７に示すプリフォーム１０Ａを準備する（図８（ａ）参照）。
【００４７】
続いて、プリフォーム１０Ａを加熱し、その後、プリフォーム１０Ａをブロー成形用の成形型であるブロー成形金型６０に装着する（図８（ｂ）参照）。このブロー成形金型６０は、互いに分割された一対の胴部金型６１、６２と、底部金型６３とを有している。この胴部金型６１、６２及び底部金型６３は、それぞれカップ状容器１０の胴部２０及び底部２５に対応する形状を有する。
【００４８】
次に、図８（ｃ）に示すように、延伸ロッド６４がプリフォーム１０Ａのプリフォーム飲み口部１５Ａに位置するブローノズル６５を貫通してプリフォーム１０Ａ内に挿入される。続いて、ブロー用エアが延伸ロッド６４を介してプリフォーム１０Ａ内に吹き込まれることによって、ブロー成形金型６０のキャビティ内でプリフォーム１０Ａが成形品のカップ状容器１０となるまで膨張する。このようにブロー成形金型６０内でカップ状容器１０が成形された後、型開きし、カップ状容器１０の完成品がブロー成形金型６０外へ取り出される。
【００４９】
このようにして、図１乃至図３に示すカップ状容器１０が得られる（図８（ｄ）参照）。
【００５０】
次にカップ状容器１０内へ飲料等の内容物が窒素雰囲気中で充填される。その後、カップ状容器１０の段部３５に蓋材４５がヒートシールされ、これによりカップ状容器１０が密閉される。このようにして、図４に示す蓋付きカップ状容器４０が得られる。
【００５１】
使用に際しては、まず使用者が、蓋付きカップ状容器４０の蓋材４５を剥離して除去する。この場合、蓋材４５は、カップ状容器１０の段部３５に貼付されているので、仮に蓋材４５の一部や蓋材４５に付着していたシール材が段部３５に残ったとしても、フランジ部１７に影響が及ぶことはない。このため、蓋材４５によってフランジ部１７の口当たりが悪化することがなく、内容物を飲みやすくなっている。その後、使用者はカップ状容器１０を傾けて、フランジ部１７を口にあてて内容物を飲み口部１５から飲む。
【００５２】
以上のように本実施の形態によれば、カップ状容器１０の飲み口部１５と胴部２０との間に、飲み口部１５及び胴部２０よりも細い縮径部３０が形成されている。また、縮径部３０の上面に、蓋材４５を貼付するための段部３５が形成されている。この段部３５は、カップ状容器１０の天面（フランジ部１７）よりも一段低い場所に位置する。このように、蓋材４５を貼付する箇所と、飲用時に口を付ける箇所を異ならせることにより、蓋材４５の一部や蓋材４５に付着していたシール材によってフランジ部１７の口当たりが悪化することを防止することができる。
【００５３】
また、本実施の形態によれば、フランジ部１７に蓋材４５を貼付することがないため、フランジ部１７の幅を広く確保する必要がない。これにより、飲料を飲む際に、飲料が口の横からこぼれ落ちたり、フランジ部１７の幅が広すぎて口当たりが悪くなったりするおそれもない。また、胴部２０の径が縮径部３０の径よりも大きいので、カップ状容器１０の容量を十分に確保することができる。
【００５４】
また本実施の形態によれば、飲み口部１５と胴部２０との間に、円筒状の第２側面３２を有する縮径部３０が設けられている。これにより、カップ状容器１０を傾けて飲料を飲む際に、大量の飲料が飲み口部１５に向けて急に流れ込むことが抑えられ、飲み口部１５から飲む飲料の量をコントロールしやすくすることができる。
【００５５】
また本実施の形態によれば、縮径部３０の下面３３は、飲み口部１５から胴部２０に向かうにつれて径方向外側に向かって傾斜する。これにより、カップ状容器１０を傾けて飲料を飲む際に、胴部２０と下面３３との間に飲料が残りにくくすることができる。
【００５６】
（変形例）
次に、図９乃至図１１により本実施の形態の変形例について説明する。図９乃至図１１において、図１乃至図８に示す実施の形態と同一部分には同一の符号を付して詳細な説明は省略する。
【００５７】
（カップ状容器の変形例）
図９は、一変形例によるカップ状容器を示す断面図である。図９に示すカップ状容器１０において、縮径部３０の下面３３は、平面視円環形状であり、第２側面３２の下端から径方向外側に向けて形成されている。下面３３は、飲み口部１５（上方）から胴部２０（下方）に向かうにつれて径方向外側に向かって傾斜する傾斜面からなる。また、下面３３は、垂直断面において径方向外側に向けて湾曲している。この場合、カップ状容器１０の飲料が下面３３と胴部２０との間のコーナー部により溜まりにくくなり、飲料をスムーズに飲むことができる。
【００５８】
なお、このほかの構成は、図１乃至図３に示すカップ状容器１０の構成と略同様である。
【００５９】
（プリフォームの変形例）
図１０及び図１１は、一変形例によるプリフォームを示す断面図である。図１０及び図１１に示すプリフォーム１０Ａにおいて、プリフォーム飲み口部１５Ａとプリフォーム胴部２０Ａとの間には、蓋材４５を貼付するためのプリフォーム段部３５Ａが形成されている。この場合、図６及び図７に示すプリフォーム１０Ａと異なり、プリフォーム縮径部３０Ａは設けられておらず、プリフォーム胴部２０Ａは、プリフォーム段部３５Ａに直接連結されている。
【００６０】
プリフォーム飲み口部１５Ａ及びプリフォーム段部３５Ａは、それぞれカップ状容器１０の飲み口部１５及び段部３５に対応するものであり、飲み口部１５及び段部３５と略同一の形状を有している。また、プリフォーム底部２５Ａは、カップ状容器１０の底部２５に対応するものである。一方、プリフォーム胴部２０Ａは、カップ状容器１０の胴部２０に加え、縮径部３０にも対応している。
【００６１】
図１０及び図１１に示すプリフォーム１０Ａは、例えばカップ状容器１０の胴部２０の高さＨ４（図３参照）が短い場合等、プリフォーム胴部２０Ａを大きく延伸する必要がない場合に用いられても良い。この場合、プリフォーム胴部２０Ａが、カップ状容器１０の胴部２０とともに縮径部３０に対応することにより、ブロー成形後のカップ状容器１０の胴部２０や底部２５が必要以上に厚くならないようにすることができる。
【００６２】
なお、このほかの構成は、図６及び図７に示すプリフォーム１０Ａの構成と略同様である。
【００６３】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００６４】
１０        カップ状容器
１０Ａ      プリフォーム
１５        飲み口部
１５Ａ      プリフォーム飲み口部
１６        第１側面
１７        フランジ部
２０        胴部
２０Ａ      プリフォーム胴部
２５        底部
２５Ａ      プリフォーム底部
３０        縮径部
３０Ａ      プリフォーム縮径部
３１        上面
３２        第２側面
３３        下面
３５        段部
３５Ａ      プリフォーム段部
４０        蓋付きカップ状容器
４５        蓋材
５０        オーバーキャップ
【図１】
2020164177.tif 000003
【図２】
2020164177.tif 000004
【図３】
2020164177.tif 000005
【図４】
2020164177.tif 000006
【図５】
2020164177.tif 000007
【図６】
2020164177.tif 000008
【図７】
2020164177.tif 000009
【図８】
2020164177.tif 000010
【図９】
2020164177.tif 000011
【図１０】
2020164177.tif 000012
【図１１】
2020164177.tif 000013